(57)【要約】【課題】二つ折れ小銭入れの中のコインの整理。【解決手段】コイン収納部１０とこのコイン収納部１０をカバーする蓋兼用コイン入出部２０より成る二つ折れの小銭入れを前提にしている。それで、その小銭入れを開いた状態の平面図を表す図１とその平面断面図を表す図２で示すと、四角筒状のコイン区別収納室１１が、上記のコイン収納部１０に水平方向に並んだ状態に複数設けられたいる。そして、そのコイン収納口１２が上記の蓋兼用コイン入出部２０の方向に位置しているものである。一方、複数のコイン区別入出室２１が、上記の蓋兼用コイン入出部２０に設けられたものであって、上記のコイン区別収納室１１に出し入れされるコイン３０（図４を参照）をその区別状態で受け入れる。また、この複数のコイン区別入出室２１は、上記のコイン区別収納室１１に嵌合する上面開放型のものである。【選択図】図４
2010201004.tif 000002
【特許請求の範囲】
【請求項１】
コイン収納部とこのコイン収納部をカバーする蓋兼用コイン入出部より成る二つ折れの小銭入れに於いて、上記のコイン収納部に水平方向に並んだ状態に複数設けられたものであってそのコイン収納口が上記の蓋兼用コイン入出部の方向に位置している四角筒状のコイン区別収納室、上記の蓋兼用コイン入出部に設けられたものであって上記のコイン区別収納室に出し入れされるコインをその整理区別状態で受け入れ且つ上記のコイン区別収納室に嵌合する上面開放型の複数のコイン区別入出室、より構成されることを特徴としたコイン整理用の複数区別二つ折れ小銭入れ。
【発明の詳細な説明】
【技術分野】
【０００１】
本発明は、広くは小銭入れに関するものであり、特に二つ折れの小銭入れに関するものである。就中、コインの種別を複数区別して収納する二つ折れの小銭入れに関するものである。
【背景技術】
【０００２】
コインは、財布に付属している小銭入れに入れて持ち歩くこともある。しかし、コインを手軽に持ち歩くべく、財布とは独立した二つ折れの小銭入れに入れて持ちあることも多い。
【発明の開示】
【発明が解決しようとする課題】
【０００３】
しかして、本願発明が解決しようとする問題点は、この二つ折れの小銭入れは手軽ではあるが、一円硬貨から 500円硬貨という多種類のコインが一つの小銭入れにごっちゃまぜに入っているので必要な金額のコインをその中からより分けて取り出すのには手間が掛かってしまう。特に、スーパーマーケットのレジなどの混み合うところでは、その会計時に後ろに並んでいる客のいらだちを背後に感じて焦ってしまい、そのコインの手早い取り出しに手間取ってしまいがちである。
【課題を解決するための手段】
【０００４】
本発明にかかるコイン整理用の複数区別二つ折れ小銭入れは、以上の課題を解決するために、その小銭入れをコインの種類別に複数の収納室とそれを受け入れる複数の入出室を設けたものとした。
【０００５】
以下に、本発明にかかるコイン整理用の複数区別二つ折れ小銭入れの具体的な構成を詳細に記載する。この発明は、コイン収納部とこのコイン収納部をカバーする蓋兼用コイン入出部より成る二つ折れの小銭入れを前提にしている。そこで、まず四角筒状のコイン区別収納室がある。この四角筒状のコイン区別収納室は、上記のコイン収納部に水平方向に並んだ状態に複数設けられたものであって、そのコイン収納口が上記の蓋兼用コイン入出部の方向に位置しているものである。そして、複数のコイン区別入出室がある。この複数のコイン区別入出室は、上記の蓋兼用コイン入出部に設けられたものであって、上記のコイン区別収納室に出し入れされるコインをその整理区別状態で受け入れ、且つ上記のコイン区別収納室に嵌合する上面開放型のものである。
【発明の効果】
【０００６】
本発明にかかるコイン整理用の複数区別二つ折れ小銭入れは、以上のごとくになしたゆえに、コインを２種類等の複数に区別して収納し、それを同様な状態で手早くより分けて取り出すことが出来た。
【発明を実施するための最良の形態】
【０００７】
しかして、本発明にかかるコイン整理用の複数区別二つ折れ小銭入れは、四角筒状のコイン区別収納室が、コイン収納部に水平方向に並んだ状態に複数設けられたものであって、そのコイン収納口が上記の蓋兼用コイン入出部の方向に位置しているものとした。そして、複数のコイン区別入出室が、上記の蓋兼用コイン入出部に設けられたものであって、上記のコイン区別収納室に出し入れされるコインをその整理区別状態で受け入れ、且つ上記のコイン区別収納室に嵌合する上面開放型のものとしたことにより、コインの種類分けの収納が可能となり、その取り分けを容易にしたと言う利点がある。
【実施例１】
【０００８】
しかして、本発明にかかるコイン整理用の複数区別二つ折れ小銭入れをその具体的な実施例を用いて添付の図面と共に詳細に述べる。しかして、この発明は、その小銭入れを開いた状態の平面図を表す図１とその平面断面図を表す図２及び図１の側面断面図を表す図３で示すと、コイン収納部１０とこのコイン収納部１０をカバーする蓋兼用コイン入出部２０より成る二つ折れの小銭入れを前提にしている。そこで、まず四角筒状のコイン区別収納室１１がある。この四角筒状のコイン区別収納室１１は、上記のコイン収納部１０に水平方向に並んだ状態に２室設けられたものである。そして、そのコイン収納口１２が上記の蓋兼用コイン入出部２０の方向に位置しているものである。
【０００９】
一方、複数のコイン区別入出室２１がある。この複数のコイン区別入出室２１は、上記の蓋兼用コイン入出部２０に設けられたものである。そして、上記のコイン区別収納室１１に出し入れされるコイン３０（図４を参照）をそのコインの種類により区別状態で受け入れるものである。しかして、この複数のイン区別入出室２１は、その腹数のイン区別入出室２１間で入出室隔離壁２２により右側のコイン区別入出室21ａと左側の複数のコイン区別入出室21ｂに区分されている。また、このコイン区別入出室２１は、上記のコイン区別収納室１１に嵌合するもので上面開放型のものとなっている。
【００１０】
このコイン区別入出室２１と上記のコイン区別収納室１１との嵌合具合は、具体的には以下の如くである。すなわち、この小銭入れが閉じられたときには、上記のコイン区別収納室11ａ，11ｂの全ては、上記の複数のコイン区別入出室21ａ，21ｂの入出室周囲壁２３内に嵌入する構成となっている。一方同様に、上記の複数のコイン区別入出室21ａ，21ｂ間の入出室隔離壁２２は、上記の複数のコイン区別収納室11ａ，11ｂ間の収納室間溝１３内に嵌入する構成になっている。これで、上記のコイン区別入出室21ａ，21ｂと上記のコイン区別収納室11ａ，11ｂとの配置がうまく定まり、つぎのようにそのコイン３０の滑り込みが具合良く為される。
【００１１】
しかして、具体的には、この実施例では図４に示すように、右側のコイン区別入出室２１ａには１円と５円と１０円の硬貨を入れ、左側のコイン区別入出室２１ｂには５０円と１００円と５００円の硬貨を入れそれぞれ区別して入れられている。こうして、それらのコイン３０は、右側のコイン区別収納室１１ａには１円と５円と１０円の硬貨が滑り込み、左側のコイン区別収納室１１ｂには５０円と１００円と５００円の硬貨が入りそれぞれの区別されて滑り込まれるようになっている。
【００１２】
上記のコインの区分の仕方は説明上小さい金額と大きい金額のコインに分けたが、実際には１円硬貨と５円硬貨はその他の硬貨と混ざっていると見つけにくいので、図５に示すようにこの２種の硬貨をその他の硬貨と区別して分けると使い勝手がよい。
【００１３】
なお、上記のコイン３０がそれぞれのコイン区別収納室11ａ、11ｂに上記の如くにして収納されると、上記の蓋兼用コイン入出部２０が閉じられ、図５の平面図と図６のその側面図のようになり、それらのコイン３０は完全にその小銭入れないに綴じ込まれる。そして、上記の蓋兼用コイン入出部２０が開かれ図４の平面図のようになると、それらのコイン３０はそれぞれのコイン区別収納室11ａ,11ｂからそれぞれのコイン区別入出室21ａ，21ｂに滑り出る。こうして、コイン３０は必要な数だけ容易に取り出せる。
【００１４】
また、上記のコイン区別入出室２１は図１と図３で明白なように、その形状が下ぶくれとなっている。したがって、コイン３０をそのコイン区別入出室２１に投入するときは、その膨らんだ部分に容易に投入しやすい形状となっている。一方、そのコイン３０を取り出すときには、その下部の厚みが膨らんだ部分がそのコイン３０の落下防止の役割を果たすと同時に、その横幅が膨らんで広がった部分からそのコイン３０が取り出しやすいようになっている。
【実施例２】
【００１５】
しかして、以上の実施例では、それぞれのコインは２つの集合体に区別されている例である。しかし、これを上記のコイン区別収納室１１と上記のコイン区別入出室２１を、それぞれ３室づつのペアーとかの複数のペアーのものとして、コイン３０の集合体をその室数に比例して区分してもよい。
【産業上の利用可能性】
【００１６】
二つ折れ小銭入れの分野が広がった。
【図面の簡単な説明】
【００１７】
【図１】本発明にかかるコイン整理用の複数区別二つ折れ小銭入れの一実施例の開いた状態の平面図である。
【図２】図１の実施例のものの平面断面図を示したものである。
【図３】図１の実施例のものの側面断面図である。
【図４】図１の実施例のものにコインを区分して入れてその小銭入れをやや折り曲げた状態の平面図である。
【図５】図１の実施例のものにコインを別なく分の仕方で入れてその小銭入れをやや折り曲げた状態の平面図である。
【図６】図１の実施例の小銭入れを折り曲げて閉じたた状態の平面図を示したものである。
【図７】図５の実施例のものの側面図である。
【符号の説明】
【００１８】
１０  コイン収納部
１１  コイン区別収納室
11ａ  右側コイン区別収納室
11ｂ  左側コイン区別収納室
１２  コイン収納口
１３  収納室間溝  
２０  蓋兼用コイン入出部
２１  コイン区別入出室
21ａ  右側コイン区別入出室
21ｂ  左側コイン区別入出室
２２  入出室隔離壁
２３  入出室周囲壁
３０  コイン
【図１】
2010201004.tif 000003
【図２】
2010201004.tif 000004
【図３】
2010201004.tif 000005
【図４】
2010201004.tif 000006
【図５】
2010201004.tif 000007
【図６】
2010201004.tif 000008
【図７】
2010201004.tif 000009